(57)【要約】【課題】扉の閉戸時における締め出し事態を防止すること。【解決手段】錠箱のラッチ枠部内にラッチの作動杆と協働するラッチと該ラッチを突出方向へ常時付勢するラッチバネとを組み込み、また、突出したラッチと係合するようにバネで常時付勢されたラッチ用施錠片を錠箱に設け、一方、ラッチ用施錠片を施錠するためのサムターンダルマを錠箱に設け、このサムターンダルマの駆動腕と作動杆の後端部と、ラッチ用施錠片の後端部にそれぞれ係合関係で関連付けられ、かつ、ラッチの後退動に連動するように錠箱の内部空間に配設された施錠片用リリース構成部材とから成るサムターン錠の締め出し防止装置を備えた扉の錠前。【選択図】  図１
2004162311.tif 000002
【特許請求の範囲】
【請求項１】
錠箱のラッチ枠部内にラッチの作動杆と協働するラッチと該ラッチを突出方向へ常時付勢するラッチバネとを組み込み、また、突出したラッチと係合するようにバネで常時付勢されたラッチ用施錠片を錠箱に設けし、一方、ラッチ用施錠片を施錠するためのサムターンダルマを錠箱に設けし、このサムターンダルマの駆動腕と作動杆の後端部と、ラッチ用施錠片の後端部にそれぞれ係合関係で関連付けられ、かつ、ラッチの後退動に連動するように錠箱の内部空間に配設された施錠片用リリース構成部材とから成るサムターン錠の締め出し防止装置を備えた扉の錠前。
【請求項２】
請求項１に於いて、リリース構成部材６１は、作動杆３３の係合面３７ａに一端部の係合爪部６６が係合するように固定軸２３に軸支されたリリースレバー６２と、このリリースレバー６２の他端部に先端部側が係合するように錠箱の水平案内部に設けら、かつ、後端部側がサムターンダルマ４５に係合するスライダー７０とから構成され、扉の閉戸時、ラッチが戸枠の縁に当って後退すると、リリース構成部材６１の各部材６２，７０は連動してラッチ用施錠片４１を係合解除の方向へ回動させることを特徴とする扉の錠前。
【請求項３】
請求項１又は請求項２に於いて、リリースレバー６２は、ラッチ３０の後退時、固定軸２３を支点に回動すると、ラッチ用施錠片４１の後端部の被係合部４４ａにスライド係合する係合部６８を有することを特徴とする扉の錠前。
【請求項４】
請求項１に於いて、作動杆３３は、その先端部３４がラッチ３０の後端部に組み込まれ、かつ、該先端部３４とラッチ枠部８の後壁８ｃとの間に設定されバネ収納空間３６に設けられたラッチバネ３２のバネ力によりラッチの後端部に圧接していることを特徴とする扉の錠前。
【請求項５】
請求項４に於いて、錠前はプッシュ・プル錠であることを特徴とする扉の錠前。
【発明の詳細な説明】
【０００１】
【発明の属する技術分野】
本発明は、サムターン錠の締め出し防止装置を備えた扉の錠前に関する。なお、ここでは「サムターン錠」を主として不動産としての住宅におけるハンドル錠の施錠装置の意味合いで用いる。屋外に設置される倉庫用ロッカーや仮設イトレにも適用可能である。
【０００２】
【従来の技術】
建物の内外の扉如何を問わず、建物の出入口又はトイレ、寝室などの室内の出入口に設けた扉（例えば室内扉）を、扉が開いている時に施錠して、その後に扉を不注意に閉じた際に締め出し事態が発生する場合がある。そこで、締め出し事態を解消することを目的とした従来例としては、例えば特開２００１−１４６８６５公報が存在する。
【０００３】
しかして、上記構成の扉錠に於いては、締め出し事態を防止するために、二段構えの施錠を必要としている。すなわち、始めに、内外いずれかのレバーハンドルをラッチ突出状態から上向きに回動操作して第１施錠をし、次いで、サムターン又は鍵を用いて第２施錠を行う。
【０００４】
上記の実施例の構造は複雑であるが、要は、施錠時に二段階の施錠操作をすることにより、不注意による各施錠片の施錠を予備的に防止し、これにより締め出し事態（インナーロック）の発生を極力防止することにある。
【０００５】
しかしながら、扉錠の施錠機構が複雑化すると、まず製造コストがかかるので問題である。次にインナーロックの防止を目的とするという点では、その目的に斬新性を見出すことができるが、施錠片を複数個設けるので、解錠の際には逆に鍵が必要となる。
【０００６】
すなわち、インナーロックの場合に鍵、ピン等を操作して解錠しなければならないので面倒である。
【０００７】
そこで、現在、室内扉、外扉等の不動産の扉に於いて、合理的機構により、締め出し事態（インナーロック）が発生しない扉錠の出現、特にサムターン錠の締め出し防止装置を備えた扉の錠前の出現が要望されている。
【０００８】
【発明が解決しようとする課題】
本発明の第１の目的は、扉の閉戸時における締め出し事態を防止することである。具体的な下位概念の目的として、本発明は、不注意、或いは子供の戯れにより、寝室、トイレ、屋内等から出た状態で扉を閉じた場合にラッチが後退すると、自動的にサムターン錠のラッチ用施錠片が解錠状態になることを目的とする。
【０００９】
第２の目的は、第１の目的を達成しながら、寝室、トイレ、屋内等に入室した場合に、当該室内からサムターン錠を簡単に施錠することができることである。
【００１０】
第３の目的は、作動杆、サムターンダルマ、ラッチ用施錠片に対してリリース構成部材を合理的に配設し、錠箱内のスペースを有効的に活用することである。第４の目的は、部品点数を極力少なくし、組立ての容易化を図ることである。これにより安価に製造することもできる。
【００１１】
【課題を解決するための手段】
本発明の扉の錠前は、錠箱６にラッチ枠部８を形成し、このラッチ枠部内にラッチの作動杆３３と協働するラッチ３０と該ラッチを突出方向へ常時付勢するラッチバネ３２とを組み込み、また、突出したラッチ３０と係合するようにバネ４２で常時付勢されたラッチ用施錠片４１を錠箱に設け、一方、該ラッチ用施錠片４１を施錠するためのサムターンダルマ４５を錠箱に設け、このサムターンダルマ４５の駆動腕４８と前記作動杆３３の後端部と、前記ラッチ用施錠片４１の後端部にそれぞれ係合関係で関連付けられ、かつ、ラッチの後退動に連動するように錠箱６の内部空間３８に配設された施錠片用リリース構成部材６１とから成るサムターン錠の締め出し防止装置Ｙを備えたことを特徴とする。
【００１２】
上記構成に於いて、リリース構成部材６１は、作動杆３３の係合面３７ａに一端部の係合爪部６６が係合するように固定軸２３に軸支されたリリースレバー６２と、このリリースレバー６２の他端部に先端部側が係合するように錠箱の水平案内部に設けら、かつ、後端部側がサムターンダルマ４５に係合するスライダー７０とから構成され、扉の閉戸時、ラッチが戸枠の縁に当って後退すると、リリース構成部材６１の各部材６２，７０は連動してラッチ用施錠片４１を係合解除の方向へ回動させる。なお、本明細書の「回動」の用語は、軸を中心に正逆方向に揺動する円運動の意味合いで用いている。
【００１３】
【発明の実施の形態】
図１乃至図８を参照にして本発明の一実施例を説明する。まず、環境部材について簡単に説明する。１は寝室、トイレ等の出入口の戸枠、２はストライクを有する受け金具、３は戸枠の縁（直接的にはストライクも含まれる）、４は水平方向に回動して出入口を開閉する扉（例えば室内扉）、５は室内の扉４の戸先に設けられた錠前（例えばプッシュ・プル錠）である。なお、錠前の一例としてのプッシュ・プル錠の内部構造については、本発明の特定（限定）要件に関係がないので割愛している。
【００１４】
次に図２を参照にして錠箱６の構成を説明する。錠箱６は、ケース身６ａと、このケース身６ａの一側開口を閉鎖する矩形状のケース蓋６ｂとから成り、前記ケース身６ａは前板７（長板状の取付け前板７ａ又は／及びフロント７ｂ）を有する。
【００１５】
８は前板７の中央部に形成した開口窓９を基準としてケース身６ａに形成された隔壁状のラッチ枠部で、このラッチ枠部８は、図３で示すように、例えば端面コ字型状に形成されている。
【００１６】
ここで図３を参照にしてラッチ枠部８を簡単に説明する。８ａは上壁、８ｂは下壁、８ｃは上下壁に交差する後壁である。しかして、前記上壁８ａにはラッチの係止解除機構Ｘを構成する仮施錠片用の第１受入れ孔１０が形成され、一方、この第１受入れ孔１０に対向するように前記下壁８ｂには、サムターン錠の締め出し防止装置Ｙ（以下、「締め出し防止装置」という）を構成する施錠片用の第２受入れ孔１１が形成されている。
【００１７】
第１・第２受入れ孔１０，１１は、本実施例では開口窓９側から前記後壁８ｃに向かって形成された水平長孔である。またラッチ枠部８の後壁８ｃの一側壁（本実施例ではケース身６ａの幅広側壁側の側壁）には、上下方向の一部（例えば中央部）に作動杆用の切欠部１２が形成されている。
【００１８】
ところで、錠箱６には、錠箱内に組み込まれる複数個の摺動部材を水平方向に案内するために、適宜箇所に任意形状の水平案内部（例えば水平長孔、水平溝など）が形成されている。ここでは、締め出し防止装置Ｙに関係する水平案内部のみ説明する。すなわち、１７は錠箱６の下方隅角部に形成されたサムターンダルマ用軸孔１８を基準にして上下かつオフセット状態に設けられたリリーススライダー用の下方水平案内部である。
【００１９】
また、本発明の錠前は、プッシュ・プル錠に適用しているので、錠箱６の上部側（例えばサムターンダルマ用軸孔１８の真上）には、操作ハンドルに連動する押圧片用の矩形状窓孔２０が形成されている。さらに、錠箱６には組み込まれる各部材を揺動させるための固定軸が複数個配設されている。
【００２０】
ここで、説明の便宜上、固定軸を上方から順番に説明すると、２１はラッチ枠部８の後壁８ｃの上部付近に設けられた仮施錠片用の固定軸、２３はラッチ枠部８の後壁８ｃの下部付近に設けられたリリースレバー用固定軸、２４はラッチ枠部８の下壁の後部側付近に設けられた施錠片用固定軸、そして、２５は錠箱の底壁の中央部に設けられたバネ支持用固定軸である。
【００２１】
次に締め出し防止装置Ｙに関係する各部材等について説明する。３０は前板７のフロント板７ｂを基準に進退動するラッチである。ラッチ３０は、公知のように受け金具２のストライクと係合する。ここでのラッチ３０は、錠箱６の内部へそのままストレートに後退するもの（普通一般に、「ラッチ」と称されている。）、多少所要角度まで水平回転しながら後退するもの（「反転ラッチ」と称されている。）如何を問わず、戸枠１側に突出して受け金具２に係合するものは、全て含まれる。
【００２２】
ラッチ３０の一例は、図３に概略的に示してある。本実施例では反転ラッチが採用されている。ここで図３を参照にしてラッチ３０の構成について説明する。３０ａは戸枠１の縁乃至ストライクの開口縁と摺接する垂直状態の衝止面である。
【００２３】
３０ｂ，３０ｂは、ラッチ６の上下面からそれぞれ凸片状に突出する突起部で、これらの凸片状突起３０ｂ，３０ｂはラッチの回転軸としての機能、上下（第１・第２）の施錠片とそれぞれ係合する機能を有する。
３０ｃ，３０ｃはラッチの後端部で、この後端部３０ｃ，３０ｃにはラッチバネの一端部を支持するバネ端収納部３１が形成されている。
【００２４】
３２はラッチの作動杆３３の端面Ｌ型状先端部３４に一端部３２ａが圧接し、一方、その他端部３２ｂがラッチ枠部８の後壁８ｃ内面に圧接するラッチバネである。本実施例では、このラッチバネ３２の前記一端部３２ａが作動杆３３の先端部３４と共にラッチ３０の収納部３１に組み込まれ、ラッチ３０を常時突出方向に付勢する。
【００２５】
次に前記作動杆３３について説明する。３４は前述したように作動杆３２のＬ型状先端部で、この先端部３４は、ラッチ３０の収納部３１の内壁面に直接又は間接的に組み込まれ、かつ、ラッチバネ３２のバネ力により該内壁面に圧接する。
【００２６】
作動杆３３の形態に関しては任意に設計変更可能であるが、本実施例では、ラッチバネ３２の一端部３２ａを受けるバネ端支持壁３４ａを有する先端部３４と、前記支持壁３４ａと交差する先端部一側壁３４ｂに段差状に連設し、かつ、前述したラッチ枠部８の切欠部１２に案内される摺動壁３５と、この摺動壁３５に連設する後端部とから成る。
【００２７】
しかして、前記バネ端支持壁３４ａの内壁面と後端部の前壁面との間には、ラッチ３０とラッチ支持枠部８の位置を考慮してラッチバネ３２を組み込むことができるバネ収納空間３６が設けられている。また前記後端部３６には、その後壁面の上端部寄りの部位から底壁面に向かって垂直ないし傾斜状の係合面３７ａを有する係合切欠部３７が形成されている。
【００２８】
締め出し防止装置Ｙの主たる構成部材は、錠箱６のラッチ枠部８又はラッチの作動杆３３を基準として、ラッチの係止解除機構Ｘを設けた反対側の内部空間、本実施例では下方の収納空間３８に組み込まれている。そして、締め出し防止装置Ｙは、閉戸時にラッチ用施錠片４１の係合を解除させるリリース構成部材６１を有する。
【００２９】
まず、図１を参照にしてラッチ用施錠片４１の構成を説明する。ラッチ用施錠片４１は、施錠時に該ラッチ３０の移動（反転ラッチの場合には回動と後退）を阻止する。このラッチ用施錠片４１はその固定軸２４に軸支され、かつ、施錠片用のバネ４２のバネ力により、ラッチの係合方向に常時付勢されている。
【００３０】
しかして、施錠片用固定軸２４を基準にすると、幅広先端部４３の上辺部には突起状の係合部４３ａが形成され、この係合部４３ａはラッチ３０の下方突起部３０ｂと係脱する。一方、幅広先端部４３に水平方向に連設する後端部４４には、後述のリリースレバーのボタン状係合部と係合する手の拳状被係合部４４ａが形成されている。
【００３１】
次に図４を参照にしてサムターンダルマ４５を説明する。サムターンダルマ４５は、軸孔或いは嵌合孔１８に嵌合する左右一対の筒状嵌合部（ハブ）４６，４６と、これらの筒状嵌合部の間に位置する大径筒状部４７と、この大径筒状部４７の外周壁の一部から半径方向に延びる駆動腕４８と、この駆動腕４８の先端部に突設した突起４９と、この突起４９の形成位置とは反対で、かつ、大径筒状部乃至駆動腕の一側壁に連設形成した山形状のバネ受け部５０とから成り、前記バネ受け部５０は、図１で示すように駆動腕４８に対して異なる方向を指向している。
【００３２】
なお、５１はサムターンダルマ４５を所定位置に押さえ付けるサムターンダルマバネで、このサムターンダルマバネ５１は、図１で示すように中央部がバネ支持用固定軸２５に巻装されていると共に、その一端部が錠箱６の下壁に圧接し、一方、他端部は前記バネ受け部５０に乗っかっている。
【００３３】
次に図５及び図６を参照にしてリリース構成部材６１について説明する。リリース構成部材６１は、前述した作動杆３３の後端部、ラッチ用施錠片４１の後端部及びサムターンダルマ４５の駆動腕４８にそれぞれ係合関係で関連付けられ、かつ、ラッチに連動するように錠箱６の内部空間３８に配設されている。
【００３４】
本実施例では、このリリース構成部材６１は、作動杆３３の係合切欠部３７の係合面３７ａに一端（上端）部の係合爪部が係合するようにリリースレバー用固定軸２３に軸支されたリリースレバー６２と、このリリースレバー６２の他端（下端）部に先端部側が係合するように設けられ、かつ、水平方向に摺動するスライダー７０とから構成されている。
【００３５】
図６はレバー６２の一例を示す。この図６を基準にすると、６５は上端部に形成された軸孔、６６は上端部の一部に半径方向に突設された係合爪部、６７は下端部に突設された小突起軸、６８は小突起軸とは反対側に突設されたボタン状係合部である。前記係合爪部６６は、サムターン施錠時にラッチ作動杆３３の後端部係合面３７ａに対向する。
【００３６】
本実施例では、作動杆３３の係合面３７ａはリリースレバー逃し用切欠部３７の一部を構成するために、ラッチ３０の後退動により作動杆３３がラッチバネ３２のバネ力に抗して後退した時は、作動杆３３の係合面３７ａに押されながら固定軸２３を支点に回動する。
【００３７】
一方、前記小突起軸６７はスライダー７０の先端部側垂直案内長孔７１に係合し、駆動ピンとしての機能を果している。また前記ボタン状係合部６８は、ラッチ３０の後退時、リリースレバー６２が固定軸２３を支点に回動すると、ラッチ用施錠片４１の拳状被係合部４４ａにスライド係合する。
【００３８】
リリースレバー６２と連動するスライダー７０は、任意形状の板状体である。スライダー７０は、図５で示すように、後端部側にサムターンダルマ４５の駆動腕４８の突起４９が係合する垂直案内長孔７２を有している。また一側面の適宜箇所に下方水平案内部１７と係合する複数個のガイド突起７３を有している。
【００３９】
図７及び図８は、扉の閉戸時の作用を示す。図７はリリースレバー６２が時計方向に回転し、そのボタン状係合部６８がラッチ用施錠片４１の拳状被係合部４４ａにスライド係合する直前時の概略説明図である。図８はラッチ用施錠片４１が完全に係合解除した時の概略説明図である。
【００４０】
まず、図１はトイレなどの室内の扉４を閉じた時における錠前（特に施錠片４１と関連するサムターン錠）の状態である。図１ではサムターンダルマ４５の駆動腕４８は右側（錠箱の後壁側）に傾倒している。この場合、トイレに入った居住者が、サムターン錠を施錠した場合を示している。この場合サムターンダルマ４５は時計方向に回動したので、スライダー７０は水平案内部１７に案内されて錠箱の後壁の内壁面まで移動している。
【００４１】
その結果、スライダー７０と連動するリリースレバー６２の上端部の係合爪部６６は、作動杆３３の係合面３７ａに対面しているのに対し、後端部のボタン状係合部６８は、ラッチ用施錠片４１の拳状被係合部４４ａから離れる。
【００４２】
したがって、ラッチ用施錠片４１は、そのバネ４２のバネ力により自動的に係合部４３ａがラッチ３０の突起部３０ｂに係合する。この時、ラッチ係止解錠機構Ｘを構成するラッチ用のレバー状仮施錠片８０は、固定軸２１に巻装された仮施錠片用のバネ８１のバネ力により、その先端部側の第１係合部８０ａがラッチ用施錠片４１と同様にラッチ３０の突起部３０ｂに係合している。それ故に、この時、当該室外から誰かが外側の操作ハンドルを回そうとしても室内扉４を開けることができない。
【００４３】
ところで、一般に居住者がトイレ等に入っている時に、サムターン（サムターンダルマ）を施錠方向（時計方向）に回して施錠することには何ら問題はない。何故ならば、トイレ等から出る時は、必ずサムターンダマル４５を解錠方向に戻し、ラッチ用施錠片４１を解錠した上で図示しない操作ハンドルを操作するからである。なお、操作ハンドルを操作すると、これに連動する押圧片８２、該押圧片８２によって水平移動する枠状摺動体８３をそれぞれ介して第１のラッチ用（仮）施錠片８０の係合が解除される。
【００４４】
しかしながら、日常の経験則として、例えば子供が当該室内の外にいて扉４を開いた場合に於いて、戯れ或いは不注意にサムターンを施錠方向へ回して扉４を閉める場合がある。また、大人であっても扉４を開いた場合に不注意によりサムターンを施錠方向へ回す場合もある。このように施錠した状態で室外から扉を閉めた場合、いわゆる「締め出し事態」となり、扉４の外壁面側から、図示しないピン、コイン、鍵などを操作しない限り、容易にサムターン錠を解錠することができないことになる。
【００４５】
そこで、本発明の実施例に於いて、図８で示すように、例えば室内扉４の閉戸時、ラッチ３０が戸枠１の縁３に当って後退すると、リリース構成部材６１が作動杆３３の後退動によって作動し、その結果、ラッチ用施錠片４１の係合状態を解消する。
【００４６】
すなわち、扉４の閉戸時、ラッチ３０が戸枠１の縁３に当って後退すると、リリース構成部材６１のリリースレバー６２が固定軸２３を支点に時計方向へ回動することにより、これに連動するスライダー７０が前板７方向へと摺動する。
そうすると、リリースレバー６２の係合部６８が前述したように施錠片４１の後端部を押し上げるようにスライド係合するので、これによりラッチ用施錠片４１は、固定軸２４を支点にそのバネ４２のバネ力に抗して係合解除の方向（矢印で示す反時計方向）へと自動的に回転する。
【００４７】
したがって、開扉の時に不注意によりラッチを施錠した状態で扉４を閉めた時に、ラッチの施錠状態が常に自動的に解錠状態となるので、いわゆる締め出し防止の効果を得ることができる。
【００４８】
【実施例】
本実施例では、ラッチ３０の後退時、リリースレバー６２が固定軸２３を支点に回動すると、リリースレバー６２のボタン状係合部６８がラッチ用施錠片４１の後端部４４にスライド係合するが、この点を設計変更しても良い。すなわち、リリースレバー６２ではなく、スライダー７０の先端部がラッチ用施錠片４１の被係合部４４ａに係合するようにしても良い。また、ラッチ用施錠片４１の枢軸２４は固定軸である必要はなく、錠箱６に長孔を形成した場合には、枢軸２４は可動軸となる。このような場合には、ラッチ用施錠片４１は可動枢軸２４を介してラッチ３０に係脱する。
【００４９】
【発明の効果】
以上の説明から明らかなように、本発明にあっては、次に列挙するような効果がある。
（１）出入口に設けた扉を、扉が開いている時に施錠して、その後に扉を不注意に閉じた際に締め出し事態が発生する場合があるが、本発明では、このような扉の閉戸時における締め出し事態を防止することができる。
（２）例えば不注意、或いは子供の戯れにより、寝室、トイレ、屋内等から出た状態で扉を閉じた場合にラッチが後退すると、自動的にサムターン錠の施錠が解錠状態になるので、鍵、ピン、コインなどでサムターン錠を解錠状態にする必要がない。
（３）発明の主たる目的を達成しながら、寝室、トイレ、屋内等に入室した場合に、当該室内からサムターン錠を簡単に施錠することができる。
（４）作動杆、サムターンダルマ、ラッチ用施錠片に対してリリース構成部材を合理的に配設し、錠箱内のスペースを有効的に活用することができる。
（５）部品点数を極力少なくし、組立ての容易化を図ることができる。したがって、安価に製造することができる。
【図面の簡単な説明】
図１乃至図８は、本発明の一実施例を示す各説明図。
【図１】閉戸時、室内からサムターン錠を施錠した場合の説明図。
【図２】ケース身を主とした錠箱の説明図。
【図３】ラッチ、ラッチ枠部、作動杆等の説明図。
【図４】サムターンダルマの説明図。
【図５】リリース構成部材の斜視図。
【図６】リリースレバーの説明図。
【図７】ラッチの後退時におけるリリース構成部材の連動状態の概略説明図。
【図８】扉の閉戸時におけるラッチ用施錠片の係合解除状態の概略説明図。
【符号の説明】
Ｘ…ラッチの係止解除機構、Ｙ…サムターン錠の締め出し防止機構、１…戸枠、２…受け金具、３…縁、４…扉、５…錠前、６…錠箱、７…前板、８…ラッチ枠部、９…開口窓、１８…軸孔、２０…窓孔、２１，２３，２４，２５…固定軸、３０…ラッチ、３０ｂ…突起部、３０ｃ…後端部、３１…収納部、３２…ラッチバネ、３３…作動杆、３４…作動杆の先端部、３６…バネ収納空間、３７…係合切欠部、３７ａ…係合面、３８…下方の収納空間、４１…ラッチ用施錠片、４２…施錠片用のバネ、４５…サムターンダルマ、４８…駆動腕、６１…リリース構成部材、６２…リリースレバー、６６…係合爪部、６８…ボタン状係合部、７０…スライダー、７１，７２…垂直案内長孔、８０…ラッチ用仮施錠片、８２…押圧片、８３…枠状摺動体。
【図１】
2004162311.tif 000003
【図２】
2004162311.tif 000004
【図３】
2004162311.tif 000005
【図４】
2004162311.tif 000006
【図５】
2004162311.tif 000007
【図６】
2004162311.tif 000008
【図７】
2004162311.tif 000009
【図８】
2004162311.tif 000010
【手続補正書】
【提出日】平成14年11月15日(2002.11.15)
【手続補正１】
【補正対象書類名】明細書
【補正対象項目名】請求項１
【補正方法】変更
【補正の内容】
【請求項１】
錠箱のラッチ枠部内にラッチの作動杆と協働するラッチと該ラッチを突出方向へ常時付勢するラッチバネとを組み込み、また、突出したラッチと係合するようにバネで常時付勢されたラッチ用施錠片を錠箱に設け、一方、ラッチ用施錠片を施錠するためのサムターンダルマを錠箱に設け、このサムターンダルマの駆動腕と作動杆の後端部と、ラッチ用施錠片の後端部にそれぞれ係合関係で関連付けられ、かつ、ラッチの後退動に連動するように錠箱の内部空間に配設された施錠片用リリース構成部材とから成るサムターン錠の締め出し防止装置を備えた扉の錠前。
【手続補正２】
【補正対象書類名】明細書
【補正対象項目名】請求項２
【補正方法】変更
【補正の内容】
【請求項２】
請求項１に於いて、リリース構成部材６１は、作動杆３３の係合面３７ａに一端部の係合爪部６６が係合するように固定軸２３に軸支されたリリースレバー６２と、このリリースレバー６２の他端部に先端部側が係合するように錠箱の水平案内部に設けられ、かつ、後端部側がサムターンダルマ４５に係合するスライダー７０とから構成され、扉の閉戸時、ラッチが戸枠の縁に当って後退すると、リリース構成部材６１の各部材６２，７０は連動してラッチ用施錠片４１を係合解除の方向へ回動させることを特徴とする扉の錠前。